(57)【要約】【課題】　　　アルミニウム素材を含む複合材料を酸性溶液によって回収して再利用するアルミニウム素材を含む複合材料の回収方法を提供する。【解決手段】　アルミニウム素材を含む複合材料を濃度が１５％〜６８％の硝酸を含む剥離液に浸漬する浸漬剥離ステップと、水によって材料の表面に残留する剥離液を除去する洗浄ステップと、アルミニウム素材を含む複合材料の各材料を乾燥すると共に、分離する乾燥及び分類回収ステップにより、ビニルフィルムとアルミ箔又は紙とアルミ箔とを分離することを特徴とする。【選択図】　　図１
2004098056.tif 000002
【特許請求の範囲】
【請求項１】
アルミニウム素材を含む複合材料を濃度が１５％〜６８％の硝酸を含む剥離液に浸漬する浸漬剥離ステップと、水によって材料の表面に残留する剥離液を除去する洗浄ステップと、アルミニウム素材を含む複合材料の各材料を乾燥すると共に、分離する乾燥及び分類回収ステップにより、ビニルフィルムとアルミ箔又は紙とアルミ箔とを分離することを特徴とするアルミニウム素材を含む複合材料の回収方法。
【請求項２】
浸漬剥離ステップと洗浄ステップとの間に、浸漬後のアルミニウム素材を含む複合材料をやや乾燥させる液切りステップを有し、洗浄ステップと乾燥及び分類回収ステップとの間に、アルカリ溶液によって残留の剥離液と中和する中和洗浄ステップを有し、更に、剥離液中に酢酸又は燐酸溶液が添加されることを特徴とする請求項１に記載のアルミニウム素材を含む複合材料の回収方法。
【請求項３】
浸漬剥離ステップを行っている際、加熱によって剥離反応を加速し、その加熱温度範囲は４０℃〜７０℃であることを特徴とする請求項２に記載のアルミニウム素材を含む複合材料の回収方法。
【発明の詳細な説明】
【技術分野】
【０００１】
本発明は、特にアルミニウム素材を含む複合材料を酸性溶液によって回収して再利用するアルミニウム素材を含む複合材料の回収方法に関するものである。
【背景技術】
【０００２】
アルミニウム素材を含む複合材料は使用範囲が広く、その成分がアルミ箔とプラスチックフィルム又は紙とを相互に結合して成り、このアルミ箔の遮光特性によって変質しやすい被包装物に優れた保存効果を提供し、従って、食品、薬品、化学品、日常用品、防寒水管、ケーブル及び日照りによって変質しやすいものによく使用され、更に、製造コストが高くないので、多量的に利用されている。例えば、飲料包装の「飲料用紙パック」はその一例であり、該飲料包装の外側に商品パターンを印刷する紙が使われ、中間部に遮光断熱効果を有するアルミ箔が使われ、内側に被包装物とアルミ箔との接触を防止するビニルフィルムが使われ、高周波又は熱圧合方法によって三者を強固に結合する。
【発明の開示】
【発明が解決しようとする課題】
【０００３】
この飲料用紙パックのようなアルミニウム素材を含む複合材料は結合性が優れるので、回収する場合に、アルミ箔とビニルフィルムを完全に分離することが難しいであり、更に、アルミニウム素材を含む複合材料の使用量は非常に大量であるので、有効に回収できないと、環境に問題を与えると共に、資源をもったなくになってしまう。
【０００４】
アルミ箔とビニルフィルムの分離困難によって現有のアルミニウム素材を含む複合材料は廃棄物として処理され、この処理方法は、機械によってアルミニウム素材の複合材料を粉砕することにより、アルミ箔とビニルフィルム又は紙とを分離する乾式分離回収処理という方法である。しかしながら、この分離回収方法は作業が面倒であるだけでなく、処理コストも高く、且つアルミ箔の欠片に少量のビニルフィルム（紙）の残留があり、或いはビニルフィルム（紙）の欠片にアルミ箔の残留があるので、回収した材料の純度が悪い及び回収価値が高くないという問題がある。
【０００５】
そこで、出願されたのが本発明であって、アルミニウム素材を含む複合材料を酸性溶液によって回収して再利用するアルミニウム素材を含む複合材料の回収方法を提供することを目的としている。
【課題を解決するための手段】
【０００６】
本願の請求項１の発明は、アルミニウム素材を含む複合材料を濃度が１５％〜６８％の硝酸を含む剥離液に浸漬する浸漬剥離ステップと、水によって材料の表面に残留する剥離液を除去する洗浄ステップと、アルミニウム素材を含む複合材料の各材料を乾燥すると共に、分離する乾燥及び分類回収ステップにより、ビニルフィルムとアルミ箔又は紙とアルミ箔とを分離することを特徴とするアルミニウム素材を含む複合材料の回収方法及び、
【０００７】
本願の請求項２の発明は、浸漬剥離ステップと洗浄ステップとの間に、浸漬後のアルミニウム素材を含む複合材料をやや乾燥させる液切りステップを有し、洗浄ステップと乾燥及び分類回収ステップとの間に、アルカリ溶液によって残留の剥離液と中和する中和洗浄ステップを有し、更に、剥離液中に酢酸又は燐酸溶液が添加されることを特徴とする請求項１に記載のアルミニウム素材を含む複合材料の回収方法及び、
【０００８】
本願の請求項３の発明は、浸漬剥離ステップを行っている際、加熱によって剥離反応を加速し、その加熱温度範囲は４０℃〜７０℃であることを特徴とする請求項２に記載のアルミニウム素材を含む複合材料の回収方法を提供する。
【発明の効果】
【０００９】
本発明は以上説明したようになるから、硝酸分子がビニルフィルム及び紙を浸透できる特性によってビニルフィルムとアルミ箔との間のアルミナ又は紙とアルミ箔の結合界面を溶解することにより、ビニルフィルムとアルミ箔又は紙とアルミ箔を簡単に分離することが達成できるので、材料の純度を有効に向上することが達成できる。
【発明を実施するための最良の形態】
【００１０】
以下、添付図面を参照して本発明の好適な実施の形態を詳細に説明する。
【００１１】
図１は本発明に係わるアルミニウム素材を含む複合材料の回収方法のフローチャートであり、図２は本発明に係わるアルミニウム素材を含む複合材料の回収方法を使用する設備を示す参考図である。
【００１２】
図１及び図２に示すように、本発明に係わるアルミニウム素材を含む複合材料の回収方法は浸漬剥離ステップと、液切りステップと、洗浄ステップと、中和洗浄ステップと、乾燥及び分類回収ステップとを有し、浸漬剥離ステップは処理しようとするアルミニウム素材を含む複合材料を引掛け装置（１）の下方におけるバスケット（符号なし）に放置すると共に、剥離タンク（２）の剥離液に浸漬し、該剥離液は硝酸を含む酸性溶液であり、その濃度は約１５％〜６８％であると共に、酢酸又は燐酸溶液が選択的に添加されることにより、優れたアルミニウム素材を含む複合材料の剥離効果を得ることができる。又、浸漬剥離ステップを行っている際、加熱によって剥離反応を加速し、その加熱温度範囲は４０℃〜７０℃であり、更に、剥離タンク（２）の上方に吸気装置（３）が設置されることにより、処理過程に産生した有毒気体を吸収して、廃気廃水処理装置に転送する。
【００１３】
液切りステップは引掛け装置（１）によって浸漬後のアルミ箔とビニルフィルム又は紙及びバスケットを同時に液体集中タンク（４）に転送し、液体集中タンク（４）でアルミニウム素材を含む複合材料をやや乾燥させる。
【００１４】
洗浄ステップはやや乾燥したアルミ箔とビニルフィルム又は紙を洗浄タンク（５）に転送し、高圧洗浄装置（６）によって材料の表面に残留する大部分の硝酸を含む剥離液を除去する。
【００１５】
中和洗浄ステップはさきに洗浄したアルミ箔とビニルフィルム又は紙を超音波中和洗浄タンク（７）に転送し、水酸化ナトリウム（苛性ソーダ）を含むアルカリ溶液によって残留の硝酸を含む剥離液と中和すると共に、超音波によって材料の表面に付着する雑質を除去することにより、アルミ箔、ビニルフィルム又は紙の純度を向上する。
【００１６】
乾燥及び分類回収ステップは分離及び洗浄後の各材料を夫々放置プレート（８）に転送すると共に、乾燥と分類を行うことにより、各材料を完全に分離して、回収することが達成できるので、一つの材料に他の材料を混雑することを防止でき、材料の純度を有効に向上することが達成できる。
【００１７】
又、本発明の処理過程に、剥離液の硝酸成分がビニルフィルムを浸透すると共に、ビニルフィルムとアルミ箔との間のアルミナ（Aｌ２Ｏ３）を溶解するので、ビニルフィルムとアルミ箔を簡単に分離することが達成できる。又、紙とアルミ箔の結合界面において、剥離液の硝酸成分が紙を浸透することにより、紙とアルミ箔を簡単に分離することも達成できる。
【００１８】
本発明に係わるアルミニウム素材を含む複合材料の回収方法に関する操作条件は、剥離液の濃度が１５％〜６８％であり、加熱温度が４０℃〜７０℃であり、ビニルフィルムの厚さによって異なる剥離液の濃度及び加熱温度を使う。又、剥離液の濃度は６８％であると共に、加熱温度は６０℃である場合、浸漬時間は４０分である。剥離液の濃度は３４％であると共に、加熱温度は６５℃である場合、浸漬時間は６０分である。
【００１９】
又、加熱しない状況で剥離反応を行う操作条件は、剥離液の濃度が３０％〜３４％であると共に、浸漬時間は７時間である。剥離液の濃度が２０％〜３０％であると共に、浸漬時間は１５時間である。これにより、加熱は剥離反応を加速すると共に、反応時間を短縮することを判断できる。
【図面の簡単な説明】
【００２０】
【図１】本発明に係わるアルミニウム素材を含む複合材料の回収方法のフローチャート。
【図２】本発明に係わるアルミニウム素材を含む複合材料の回収方法を使用する設備を示す参考図。
【符号の説明】
【００２１】
１　　　　　引掛け装置
２　　　　　剥離タンク
３　　　　　吸気装置
４　　　　　液体集中タンク
５　　　　　洗浄タンク
６　　　　　高圧洗浄装置
７　　　　　中和洗浄タンク
８　　　　　放置プレート
【図１】
2004098056.tif 000003
【図２】
2004098056.tif 000004